(57)【特許請求の範囲】
【請求項１】
ハブと、このハブの外周側に位置する振動リングと、前記振動リングの軸方向両側に位置するとともに、前記ハブと前記振動リングとを連結する一対のゴム状弾性体製の弾性体を備え、
前記振動リングは、前記ハブの外周近傍まで延在する凸部を備え、
各弾性体は、前記ハブから前記振動リングにかけて凸部から軸方向外側に湾曲した形状をなし、
前記弾性体における凸部側の面には、前記凸部に向けて延在するゴム状弾性体製の突起部が一体として成形され、
前記凸部と前記突起部との間には、間隙が設定されていることを特徴とするダイナミックダンパ。
【請求項２】
請求項１に記載のダイナミックダンパにおいて、
前記弾性体は、その一部に前記弾性体を肉厚とするゴム塊が形成されていることを特徴とするダイナミックダンパ。
【発明の詳細な説明】
【技術分野】
【０００１】
本発明は、ダンパに係り、更に詳しくは、内燃機関のプロペラシャフト等の回転駆動系に生起される捩り振動を吸収するダイナミックダンパに関する。ダイナミックダンパはティルガーと称されることもある。
【背景技術】
【０００２】
後輪駆動又は四輪駆動の自動車においては、車両の前部に搭載された内燃機関の出力を後輪に伝達するためにプロペラシャフトが設けられている。ここで、プロペラシャフトに振動が発生すると、この振動が車両に伝達されるため、プロペラシャフトの振動特性は、車両の振動に大きな影響を与える。【０００３】
そのため、従来より、プロペラシャフトには、図３に示すように、ハブ５２０と、このハブ５２０の外周側に位置する振動リング５３０と、ハブ５２０と振動リング５３０とを連結するゴム状弾性体製の弾性体５４０を備えるダイナミックダンパ５１０が装着されている。【０００４】
このダイナミックダンパ５１０によって、振動リング５３０及び弾性体５４０がプロペラシャフトの回転時の振動を打ち消すように共振することによって、捩れ方向（回転方向）の振動を減衰することができる。【０００５】
ここで、近年、燃費改善を目的とした車両の軽量化によって、プロペラシャフトに発生する振動の周波数帯が低くなっている。そして、振動の周波数が小さくなると、ダイナミックダンパ５１０に対する加振入力値が大きくなる傾向にあり、弾性体５４０に大きな捩れ負荷が掛かるおそれがある。【０００６】
これに対して、弾性体５４０を径方向に長くすることによって弾性体５４０の耐久性を向上させることも考えられるが、この弾性体５４０を設ける径方向のスペースも大きくしなければならない。【０００７】
また、弾性体５４０に大きな捩れ負荷が掛かることを防止するために振動リング５３０の相対変位量を規制するストッパを設けることも考えられるが、部品点数が増えるため、好ましくない。
【先行技術文献】
【特許文献】
【０００８】
【特許文献１】特開平１１−７２１４３号公報
【発明の概要】
【発明が解決しようとする課題】
【０００９】
本発明は、以上のような点に鑑みてなされたものであって、その技術的課題は、弾性体を設ける径方向のスペースを大きくすることなく、弾性体の径方向長さを長く設定することで、弾性体に対する捩れ負荷を小さくし、かつ、振動リングの相対変位量を規制することができるダイナミックダンパを提供することにある。
【課題を解決するための手段】
【００１０】
上述した技術的課題を有効に解決するための手段として、本発明のダイナミックダンパは、ハブと、このハブの外周側に位置する振動リングと、前記振動リングの軸方向両側に位置するとともに、前記ハブと前記振動リングとを連結する一対のゴム状弾性体製の弾性体を備え、前記振動リングは、前記ハブの外周近傍まで延在する凸部を備え、各弾性体は、前記ハブから前記振動リングにかけて凸部から軸方向外側に湾曲した形状をなし、前記弾性体における凸部側の面には、前記凸部に向けて延在するゴム状弾性体製の突起部が一体として成形され、前記凸部と前記突起部との間には、間隙が設定されていることを特徴とする。【００１１】
また、前記弾性体は、その一部に前記弾性体を肉厚とするゴム塊が形成されてなるものである。
【発明の効果】
【００１２】
本発明のダイナミックダンパによれば、弾性体を湾曲した形状とすることによって、弾性体を設ける径方向のスペースを大きくすることなく弾性体に対する捩れ負荷を小さくすることができ、突起部が凸部に接触する際の抵抗によって振動リングの相対変位量を減衰させ、ストッパとしての機能も発揮することができる。
【図面の簡単な説明】
【００１３】
【図１】本発明の実施形態に係るダイナミックダンパを示す断面図である。
【図２】本発明の実施形態に係るダイナミックダンパを示す平面図である。
【図３】従来技術に係るダイナミックダンパを示す断面図である。
【発明を実施するための形態】
【００１４】
次に、本実施形態に係るダイナミックダンパ１０について、図面に基づき詳細に説明する。
【００１５】
図１及び図２に示すように、実施形態に係るダイナミックダンパ１０は、円筒状のハブ２０と、このハブ２０の外周側に位置する円筒状の振動リング３０と、振動リング３０の軸方向両側に位置するとともに、ハブ２０と振動リング３０とを連結する一対の弾性体４０とを備え、このダイナミックダンパ１０は、自動車等の車両の下側に位置するプロペラシャフトに装着されるものである。
【００１６】
ハブ２０は、プロペラシャフトに固定されるものであって、その外周面２１は、弾性体４０を介して振動リング３０と連結されている。
【００１７】
振動リング３０は、ハブ２０の外周側にスリーブ４１及び弾性体４０を介して連結された環状の振動リング本体３１を有し、この振動リング本体３１の軸方向中央から内径方向に向けて凸部３２が形成されている。この凸部３２は、その内周面にドライベアリング３３が嵌合されており、このドライベアリング３３の内周面と、ハブ２０の外周面２１との間には、微少の隙間が設定されている。
【００１８】
弾性体４０は、環状のゴム状弾性体からなるものであって、振動リング３０における凸部３２から軸方向外側（図１における左右方向）に湾曲した形状をなす湾曲部４２と、湾曲部４２中央（湾曲部４２の頂点）における外面に形成された環状のゴム塊４３と、湾曲部４２中央における内面に形成された環状の突起部４４とを備えるものである。
【００１９】
湾曲部４２の径方向の両端は、スリーブ４１を介して振動リング３０及びハブ２０と連結されている。そして、この湾曲部４２は、振動リング３０がハブ２０に対して捩れ方向Ｘに変位した際に、弾性変形可能とされている。
【００２０】
ゴム塊４３は、湾曲部４２中央における外面に形成されるものであって、ゴム塊４３が位置する湾曲部４２の一部は、肉厚となり、弾性体４０におけるゴム塊４３部分の剛性が高くなる。
【００２１】
突起部４４は、湾曲部４２中央における内面から凸部３２に向けて軸方向に延在するものであって、突起部４４の先端と凸部３２との間には、微少の間隙Ｃ１が設けられている。この間隙Ｃ１は、概ね１〜２ｍｍほどとされている。
【００２２】
そして、上記構成を備えるダイナミックダンパ１０によれば、弾性体４０と振動リング３０が、プロペラシャフトの振動による捩れ方向Ｘの変位の位相と逆の位相で共振するため、プロペラシャフトの振動を低減することができる。
【００２３】
また、車両の下側に位置するプロペラシャフトに路面の泥水などが飛来したとしても、湾曲部４２の両端が振動リング３０及びハブ２０に嵌合されているため、ダイナミックダンパ１０内に泥水などが侵入することもない。
【００２４】
また、プロペラシャフトの回転に伴う振動によって、ダイナミックダンパ１０における振動リング３０がハブ２０に対して捩れ方向Ｘに変位する際には、弾性体４０における湾曲部４２が捩れ方向Ｘに引張される。このとき、湾曲部４２中央における外面に形成されたゴム塊４３によって、弾性体４０におけるゴム塊４３の剛性が高くなる。
【００２５】
また、プロペラシャフトの回転数が増加することに伴って、振動リング３０が一定以上捩れた際には、湾曲部４２が引張されることによって、突起部４４及び凸部３２間の間隙Ｃ１が減少し、突起部４４が凸部３２に接触することで、捩れ方向Ｘへの振動の減衰量を増加させることができる。
【００２６】
以上により、本実施形態に係るダイナミックダンパ１０によれば、振動リング３０がハブ２０に対して捩れ方向Ｘに変位する際に、湾曲した形状をなす湾曲部４２が捩れ方向Ｘに引張されるため、従来技術に係るダイナミックダンパ５１０よりも弾性体４０の径方向長さが長くなることで変位許容量が大きくなる。したがって、振動リング３０の相対変位に対する捩れ耐久性が向上するとともに、プロペラシャフトの回転に対する振動低減効果の範囲を大きくすることができ、かつ、ダイナミックダンパ１０における弾性体４０を設ける径方向のスペースを大きくする必要もない。
【００２７】
また、本実施形態に係るダイナミックダンパ１０によれば、振動リング３０が一定以上捩れた際に突起部４４が振動リング３０に対して捩れ方向Ｘの振動の減衰量を増加させることができるため、従来技術に係るダイナミックダンパ５１０よりもプロペラシャフトの振動に対する減衰量を増加させることができ、その結果、突起部４４がストッパ機能を発揮し、振動リング３０が一定以上捩れることを防止することができる。
【００２８】
また、本実施形態に係るダイナミックダンパ１０によれば、弾性体４０の一部に設けられたゴム塊４３における剛性が高まり、ゴム塊４３を中心に外径側及び内径側がバランスよく弾性変形することができるため、弾性体４０の一部に応力が集中することを防止することができる。
【００２９】
なお、本発明において、弾性体にゴム塊が成形される位置は、特に限定されない。ただし、外径側及び内径側がバランスよく弾性変形するためには、弾性体の中心、すなわち、湾曲部の頂点近傍にゴム塊が形成されることが好適である。
【符号の説明】
【００３０】
１０        ダイナミックダンパ
２０        ハブ
２１        外周面
３０        振動リング
３１        振動リング本体
３２        凸部
３３        ドライベアリング
４０        弾性体
４１        スリーブ
４２        湾曲部
４３        ゴム塊
４４        突起部
Ｃ１        間隙
Ｘ          捩れ方向
【図１】
0006773803.tif 000002
【図２】
0006773803.tif 000003
【図３】
0006773803.tif 000004